(57)【要約】      （修正有）【課題】展示用のプレートを搬送するに際し、単独あるいは少数の人員で容易に安全な搬送作業が行えるとともに、床面を傷付ける虞がないプレート搬送装置を提供する。【解決手段】プレート搬送装置を、台座８と、同台座８の一側に立設され、ホルダ１２を備えた保持板１１を設けたハンドル９と、同台座８の下面に設けられたキャスタ１０と、同台座８の前縁に上下方向に回動自在に設けられプレート２を固定するプレート取付板１３とからなる一対の台車４と、中央部を回動自在に連結され、筒状に形成された一対の第一ステー１６と、同第一ステー１６に摺動自在に支持されるとともに、先端部をＬ字状に折曲させ前記ホルダ１２に挿入される押圧部を形成した一対の第二ステー１７とからなる連結具６とで構成する。【選択図】図２
2010285225.tif 000002
【特許請求の範囲】
【請求項１】
プレートを搬送する一対の台車と、これを連結する連結具とからなるプレート搬送装置であって、
前記台車が、上面にハンドルを、下面にキャスタを備えた台座と、同台座に設けられ、前記プレートの一端を固定する固定部とからなり、前記連結具が、中央部を回動自在に連結された一対の梁状部材からなり、前記台車のハンドルに当接することを特徴とするプレート搬送装置。
【請求項２】
プレートを搬送する一対の台車と、これを連結する連結具とからなるプレート搬送装置であって、
前記台車が、係合部を備えたハンドル及びキャスタを備えた台座と、同台座に設けられ、前記プレートの一端を固定する固定部とからなり、前記連結具が、前記係合部に係合する係合片を両端部に備えた梁状部材からなることを特徴とするプレート搬送装置。
【請求項３】
前記固定部は、前記プレートを螺着するための螺子挿通孔を複数備え、前記台座の前縁に上下回動自在に設けられたプレート取付板からなることを特徴とする請求項１及び請求項２に記載のプレート搬送装置。
【発明の詳細な説明】
【技術分野】
【０００１】
本発明は、表示装置を載置し、これの転倒等を防止する展示用プレートを搬送するプレート搬送装置に関する。
【背景技術】
【０００２】
ショッピングモール、あるいは駅構内等に設置され、地図表示及び店舗案内等の各種表示を行う大型の表示装置は、床面にアンカー設置できない場合、支柱、支持具を備えた平板状の展示用プレートを床面に敷き、同展示用プレートの上面に表示装置を設置するとともに、同展示用プレートの支柱、支持具に表示装置を固定して、表示装置が傾いたり、あるいは地震等による転倒を防止するようになっている。また、表示装置を床面に直接アンカー設置すると、アンカーが設けられていない場所への移動の際には、新に移動箇所の床面にアンカーを埋め込む工事が必要となり、移動作業が煩雑となってしまうことにより、移動が容易な展示用プレートを利用して適宜な場所に移動設置されるようになっている。
【０００３】
展示用プレートは厚さ５〜１０ｍｍ程度で、各辺長１〜２ｍの矩形状に形成された鉄板からなるため８０〜１００Ｋｇ程度とかなり重量があり、また周辺には、足のつまずき等を防止するため、突起物等は設けられておらず、  み処がない。このため、表示装置の設置作業あるいは移動作業の際は、強力な電磁石クレーンを備えた搬送装置等を用い、電磁石クレーンで重量のある展示用プレートを吸着し、台車等に載置して所定場所まで搬送作業を行なった後、その上面に表示装置を設置する必要があり、大掛かりな作業となっていた。
【０００４】
また、上記したような搬送装置がない場合は、複数の作業者がバールあるいはその他の工具を用いて、平板状の展示用プレートを床面から浮き上がらせ台車等に載置した後、搬送作業を行っていたが、  み処がないため手指等を挟まれる虞があり危険を伴う作業となっていた。
【０００５】
一方、重量物の鉄板を搬送する搬送装置の例としては、例えば特許文献１に開示されているように、ジャッキとキャスタを備えた左右一対の台車と、同台車間に掛架されたフレームと、同フレームから懸吊され、クランプを先端部に備えた複数のチェーンとからなる搬送装置の技術が開示されている。
【０００６】
まず、バール等を用いて重量物の鉄板を地面から浮き上がらせ、複数のクランプで鉄板の四囲を挟持する。次に、ジャッキにより鉄板を上方に引き上げ、引き上げた状態で、台車に備えられたキャスタにより移動を行うようになっている。
【０００７】
しかしながら、ショッピングモールや駅構内でバール等を用いると床面を傷付ける虞があり、使用する工具にも制限がある。また、バール等の補助工具を用いて鉄板を地面から浮き上がらせ、クランプに鉄板を挟持する作業においては、作業に複数の人員を要するとともに、作業中に誤って指を挟む危険性があり、  み処のない展示用プレートを小人数で安全に搬送できる搬送装置が求められていた。
【先行技術文献】
【特許文献】
【０００８】
【特許文献１】特開平７−４８０９７号（２頁、図１）
【発明の概要】
【発明が解決しようとする課題】
【０００９】
本発明は、上記問題点に鑑み、表示装置の展示用プレートのような重量物を搬送するに際し、単独あるいは少数の人員で容易に安全な作業が行えるとともに、床面を傷付けたり、作業者が指を挟む等の虞がないプレートの搬送装置を提供することを目的とする。
【課題を解決するための手段】
【００１０】
本発明は、上記課題を解決するため、プレートを搬送する一対の台車と、これを連結する連結具とからなるプレート搬送装置であって、前記台車が、上面にハンドルを、下面にキャスタを備えた台座と、同台座に設けられ、前記プレートの一端を固定する固定部とからなり、前記連結具が、中央部を回動自在に連結された一対の梁状部材からなり、前記台車のハンドルに当接する構成となっている。
【００１１】
また、プレートを搬送する一対の台車と、これを連結する連結具とからなるプレート搬送装置であって、前記台車が、係合部を備えたハンドル及びキャスタを備えた台座と、同台座に設けられ、前記プレートの一端を固定する固定部とからなり、前記連結具が、前記係合部に係合する係合片を両端部に備えた梁状部材からなる構成となっている。
【００１２】
また、前記固定部は、前記プレートを螺着するための螺子挿通孔を複数備え、前記台座の前縁に上下回動自在に設けられたプレート取付板からなる構成となっている。
【発明の効果】
【００１３】
請求項１記載の発明によれば、  み処がなく重量がある展示用のプレートを、複数の人員を要することなく単独で容易に行えるとともに、指を挟む等の作業の危険度を低くすることができるようになっている。
【００１４】
請求項２記載の発明によれば、連結具を簡素な構成で形成することができるようになっている。
【００１５】
請求項３記載の発明によれば、固定部がプレートを螺着するための螺子挿通孔を複数備えた構成により、安全且つ確実にプレートの一端を固定することができるようになっている。
【図面の簡単な説明】
【００１６】
【図１】展示用プレートに表示装置を載置した状態を示す説明図である。
【図２】本発明による搬送装置と、搬送される展示用プレートを示す斜視図である。
【図３】本発明による搬送装置の台車を示す斜視図及び側面図である。
【図４】本発明による搬送装置の連結バーを示す斜視図及び断面図である。
【図５】本発明による搬送装置の動作を示す説明図である。
【図６】本発明による搬送装置の第二実施例を示す説明図である。
【発明を実施するための形態】
【００１７】
以下、本発明の実施の形態を、添付図面に基づいた実施例として詳細に説明する。
【実施例１】
【００１８】
大型の表示装置１と、これを載置する展示用プレート２を図１に示す。大型の表示装置１はショッピングモール、百貨店、量販店あるいは駅構内等に設置され、地図案内、店舗案内、商品案内等の表示を顧客あるいは通行人の要求に応じて表示することができるようになっている。表示装置１は、図１で示すように、例えば、下部に、電源、制御部及び記憶部等を内蔵した本体部１ａを備え、同本体部１ａの上部に、薄型矩形状の表示部１ｂを備えている。表示部１ｂの下方には傾斜した操作部１ｃが設けられており、同操作部１ｃを操作することにより、表示部１ｂに必要な情報を表示するようになっている。
【００１９】
上記した表示装置１は、地震等による転倒を防止するため、床面にアンカーボルトが設けられている場合は、アンカーボルトに固定されて設置されるようになっているが、床面にアンカーボルトを設けることができない場合、図１で示すように、展示用プレート２の上面に載置されるようになっている。展示用プレート２は、板厚が５〜１０ｍｍ程度で各辺長１〜２ｍの矩形状に形成された鉄板からなり、上面中央には、図示はしていないが、複数の支柱あるいはアンカーボルトが立設されており、周縁には所定間隔で複数の螺子孔２ａが設けられている。表示装置１は、本体部１ａが展示用プレート２に設けられた支柱あるいはアンカーボルトに固定されるようになっており、これにより縦長状に形成された表示装置１の転倒を防止することができる。また、固定に際し、床面のアンカーボルトを使用すると表示装置１の移設に対し、移設箇所への新たなアンカーボルトの設置が必要となり、移設作業が困難となるが、移動容易な展示用プレート２を使用することにより、移設作業を容易に行うことができるようになっている。
【００２０】
次に、本発明による上記した展示用プレート２を搬送するプレート搬送装置３について説明する。プレート搬送装置３は、図２の斜視図で示すように、展示用プレート２の両側端部を、ボルト７により支持する一対の台車４と、一対の台車４の上部を連結する連結具６とからなっている。平板状に形成された展示用プレート２は  み処がなく、また重量があるため通常、搬送作業に複数の人員を要し、また作業に困難を伴うが、本発明によるプレート搬送装置３を用いることにより、単独あるいは小人数で容易に行えるようになっている。
【００２１】
上記した台車４の構成について説明する。台車４は図３（Ａ）の斜視図及び図３（Ｂ）の側面図で示すように、矩形状に形成された台座８と、同台座８の一側に立設され、上部が傾斜したコ字状のハンドル９と、同台座８の下面に水平方向に回動自在に設けられ、取付具１０ｂと、同取付具１０ｂに軸支された車輪１０ａとからなる左右一対のキャスタ１０と、台座８の前縁に、上下方向に回動自在に設けられた、固定部としてのプレート取付板１３とからなっている。また、台座８の下面後部には、キャスタ１０と対となって台車４を自立させるための自立脚１５が設けられている。
【００２２】
固定部としてのプレート取付板１３は複数の螺子挿通孔１３ａを備えるとともに、両側に取付部を備え回動自在なヒンジ１４を介して台座８の前縁に取付けられている。また、ハンドル９の前面上部には、コ字状のホルダ１２を前面側に突設させた保持板１１が取付けられている。
【００２３】
上記した連結具６は、図４（Ａ）の斜視図で示すように、梁状部材として筒状に形成された左右一対の第一ステー１６と、同第一ステー１６に摺動自在に支持されるとともに、先端部をＬ字状に折曲させて押圧部１７ａを形成した左右一対の第二ステー１７とからなっており、左右一対の第一ステー１６は回動自在なヒンジ１８により連結されている。
【００２４】
第二ステー１７は、図４（Ｂ）の断面図で示すように、筒状に形成された第一ステー１６内に挿入され摺動自在に支持されるとともに、同第二ステー１７の後端壁１７ｂと第一ステー１６の後端壁との間に設けられたスプリング１９により前方に付勢されるようになっている。また、後端壁１７ｂは上下に延出され、第一ステー１６の開放端は内側に折曲されており、上下に延出された後端壁１７ｂが内側に折曲された開放端に挿入されることにより第一ステー１６から第二ステー１７が脱落しないようになっている。
【００２５】
次に、展示用プレート２をプレート搬送装置３に取付けて搬送する手順について説明する。まず、台車４を、図５（Ａ）に示すように、ハンドル９を前方に押圧することにより前傾させ、プレート取付板１３の下面を展示用プレート２の一端に当接させる。この状態でプレート取付板１３に穿設された複数の螺子挿通孔１３ａに螺子７を挿通させるとともに、展示用プレート２の螺子孔２ａに螺合させる。これにより、一対の台車４と展示用プレート２とは固定されるようになっている。尚、これらの作業は個別に行うことが可能であり、複数の人員を要することなく単独で作業を行うことも可能となっている。
【００２６】
次に、連結具６を、中央部に位置するヒンジ１８によりく字状に折曲し、この状態で、図５（Ａ）に示すように、第二ステー１７先端部のＬ字状に折曲された押圧部１７ａを、ハンドル９の前面上部に設けられた保持板１１のコ字状のホルダ１２に上方から挿入する。
【００２７】
続いて連結具６を、図５（Ｂ）に示すように、第一ステー１６に手を掛けて上方Ｆから押圧し、水平状態となるようにする。これにより、一対の台車４は連結具６の押圧部１７ａに押圧され、前傾状態から水平状態に復帰するとともに、プレート取付板１３に螺子７により螺着された展示用プレート２が床面から浮き上がるようになっている。また、連結具６が水平となった状態では、第一ステー１６内部に設けられたスプリング１９が第二ステー１７を外方に押圧するとともに、第二ステー１７先端部のＬ字状に折曲された押圧部１７ａが保持板１１と密着し、廻り止めの機能を果たすことにより、一対の台車４の水平状態が安定して維持できるようになっている。
【００２８】
上記した図５（Ｂ）に示す状態となったら、台車４のハンドル９に手を掛けて移動を行う。この際、一対の台車４は展示用プレート２を介して連結されていることにより、少なくとも一人で搬送作業を行うことができるようになっている。設置場所に到着したら、上記した手順とは逆に、まず、連結具６の中央部を、図５（Ａ）で示すように、上方に向け押し上げる。これにより、台車４は展示用プレート２の重量により前傾し、展示用プレート２は床面上に設置される。次に、複数の螺子７を展示用プレート２の螺子孔２ａ及びプレート取付板１３から抜脱し、台車４を展示用プレート２から引き離す。これにより、搬送作業が完了するようになっている。
【００２９】
プレート搬送装置３を用いることにより、  み処がなく重量がある展示用プレート２を、複数の人員を要することなく単独あるいは小人数で容易に行えるとともに、作業の危険度も低減することができるようになっている。
【実施例２】
【００３０】
次に、第二実施例について説明する。第二実施例におけるプレート搬送装置２０は、図６で示すように、一対の台車２１と、同一対の台車２１に掛け渡される２枚の連結具２２とからなっている。台車２１の構成は、第一実施例での台車４とほぼ同様であるが、保持板１１に替り、ハンドル２３の左右の外側には、頭部２４ａを備えた上下一対のピン２４が水平方向に突設されている。連結具２２は薄板状の鋼板から形成され、両端部を下方に折曲して、下端を開放させた切欠き２２ｂを備えた係止片２２ａを設けている。
【００３１】
次に、搬送手順について説明する。まず第一実施例と同様に、台車２１を前傾させて、螺子７により先端部のプレート取付板２５に展示用プレート２を螺着する。次に、一対の台車２１を人手で引き起こし水平にした状態で、連結具２２の係止片２２ａに形成された切欠き２２ｂを、ハンドル２３のピン２４に挿入させ、一対の台車２１を連結する。この際、ピン２４に備えられた頭部２４ａが連結具２２の脱落を防止するようになっている。これによりハンドル２３が垂直となり、台車２１の台座が水平状態となって展示用プレート２を搬送することができるようになっており、また、２枚一組の連結具２２で、一対の台車２１を両側を連結することにより安定した姿勢を維持できるようになっている。
【００３２】
プレート搬送装置２０においては、上記したように搬送作業に複数の人員を要するが、連結具２２の構成が簡素で製作が容易となっている。
【００３３】
尚、本実施例においては、プレート取付板１３、２５と展示用プレート２の固定はボルトによって固定すると説明しているが、本発明はこれに限定されるものではなく、電磁石、吸盤あるいはクランプ等の固定手段を用いてもよい。
【符号の説明】
【００３４】
１  表示装置
１ａ  本体部
１ｂ  表示部
１ｃ  操作部
２  展示用プレート
２ａ  螺子孔
３  プレート搬送装置
４  台車
６  連結具
７  ボルト
８  台座
９  ハンドル
１０  キャスタ
１０ａ  車輪
１０ｂ  取付具
１１  保持板
１２  ホルダ
１３  プレート取付板
１３ａ  螺子挿通孔
１４  ヒンジ
１５  自立脚
１６  第一ステー
１７  第二ステー
１７ａ  押圧部
１７ｂ  後端壁
１８  ヒンジ
１９  スプリング
２０  プレート搬送装置
２１  台車
２２  連結具
２２ａ  係止片
２２ｂ  切欠き
２３  ハンドル
２４  ピン
２４ａ  頭部
２５  プレート取付板
【図１】
2010285225.tif 000003
【図２】
2010285225.tif 000004
【図３】
2010285225.tif 000005
【図４】
2010285225.tif 000006
【図５】
2010285225.tif 000007
【図６】
2010285225.tif 000008